【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】  図３A（配列番号３）のアミノ酸配列を有するPCVII特異的ポリペプチドをコードする単離されたポリヌクレオチド。
【請求項２】  図３B（配列番号５）のアミノ酸配列を有するPCVII特異的ポリペプチドをコードする単離されたポリヌクレオチド。
【請求項３】  図３C（配列番号７）のアミノ酸配列を有するPCVII特異的ポリペプチドをコードする単離されたポリヌクレオチド。
【請求項４】  図３D（配列番号９）のアミノ酸配列を有するPCVII特異的ポリペプチドをコードする単離されたポリヌクレオチド。
【請求項５】  図４A（配列番号１、配列番号11、又は配列番号12及び24）のヌクレオチド配列51〜992を含んで成る単離されたPCVIIポリヌクレオチド。
【請求項６】  図４A（配列番号１、配列番号11、又は配列番号12及び24）のヌクレオチド配列51〜992と少なくとも90％の同一性を有するヌクレオチド配列を含んで成る単離されたPCVIIポリヌクレオチド。
【請求項７】  図４A（配列番号１、配列番号11、又は配列番号12及び24）のヌクレオチド配列51〜992と少なくとも95％の同一性を有するヌクレオチド配列を含んで成る請求項６記載のPCVIIポリヌクレオチド。
【請求項８】  図４A（配列番号１、配列番号11、又は配列番号12及び24）のヌクレオチド配列51〜992と少なくとも98％の同一性を有するヌクレオチド配列を含んで成る請求項６記載のPCVIIポリヌクレオチド。
【請求項９】  図４A（配列番号１、配列番号11、又は配列番号12及び24）のヌクレオチド配列671〜360又は565〜389を含んで成る単離されたPCVIIポリヌクレオチド配列。
【請求項１０】  図４A（配列番号１、配列番号11、又は配列番号12及び24）のヌクレオチド配列671〜360又は565〜389と少なくとも85％の同一性を有するヌクレオチド配列を含んで成る単離されたPCVIIポリヌクレオチド。
【請求項１１】  図４A（配列番号１、配列番号11、又は配列番号12及び24）のヌクレオチド配列671〜360又は565〜389と少なくとも90％の同一性を有するヌクレオチド配列を含んで成る請求項10記載のPCVIIポリヌクレオチド。
【請求項１２】  図４A（配列番号１、配列番号11、又は配列番号12及び24）のヌクレオチド配列671〜360又は565〜389と少なくとも95％の同一性を有するヌクレオチド配列を含んで成る請求項10記載のPCVIIポリヌクレオチド。
【請求項１３】  図４A（配列番号１、配列番号11、又は配列番号12及び24）のヌクレオチド配列671〜360又は565〜389と少なくとも98％の同一性を有するヌクレオチド配列を含んで成る請求項10記載のPCVIIポリヌクレオチド。
【請求項１４】  請求項１〜13のいずれか１項記載のポリヌクレオチドを含んで成る単離されたヌクレオチド配列。
【請求項１５】  図３A（配列番号３）の少なくとも25個のPCVII特異的連続アミノ酸をコードするヌクレオチド配列を含んで成る単離されたポリヌクレオチド。
【請求項１６】  図３B（配列番号５）の少なくとも25個のPCVII特異的連続アミノ酸をコードするヌクレオチド配列を含んで成る単離されたポリヌクレオチド。
【請求項１７】  図３C（配列番号６）の少なくとも25個のPCVII特異的連続アミノ酸をコードするヌクレオチド配列を含んで成る単離されたポリヌクレオチド。
【請求項１８】  図３D（配列番号９）の少なくとも25個のPCVII特異的連続アミノ酸をコードするヌクレオチド配列を含んで成る単離されたポリヌクレオチド。
【請求項１９】  図３B（配列番号５）に示されるPCVIIアミノ酸配列と少なくとも80％の相同性を有するPCVIIアミノ酸配列の少なくとも25個の連続アミノ酸をコードする単離されたポリヌクレオチド。
【請求項２０】  前記相同性が、少なくとも85％である請求項19記載のポリヌクレオチド。
【請求項２１】  前記相同性が、少なくとも90％である請求項19記載のポリヌクレオチド。
【請求項２２】  前記相同性が、少なくとも95％である請求項19記載のポリヌクレオチド。
【請求項２３】  前記相同性が、少なくとも98％である請求項19記載のポリヌクレオチド。
【請求項２４】  請求項15〜23のいずれか１項記載のポリヌクレオチドを含んで成る単離されたヌクレオチド配列。
【請求項２５】  前記ポリヌクレオチドが、プロモーターの制御下に配置される請求項14又は24記載のヌクレオチド配列。
【請求項２６】  請求項25記載のヌクレオチド配列を含んで成る、インビボ又はインビトロ発現ベクター。
【請求項２７】  前記インビボ発現ベクターが、ポックスウィルス、アデノウィルス、ヘルペスウィルス及び核酸ベクターから成る群から選択される請求項26記載のインビボ発現ベクター。
【請求項２８】  請求項27記載のインビボ発現ベクター及び医薬的ビークルを含んで成る組成物。
【請求項２９】  前記インビトロ発現ベクターが、バキュロウィルスである請求項26記載のインビトロ発現ベクター。
【請求項３０】  請求項26記載のインビトロ発現ベクターにより形質転換される宿主細胞。
【請求項３１】  前記細胞がE.コリである請求項30記載の宿主細胞。
【請求項３２】  組換えPCVIIポリペプチドの生成方法であって、請求項30又は31記載の宿主細胞の集団を供給し、そして前記細胞集団を、前記組換えベクターに存在するコード配列によりコードされるPVIIポリペプチドが発現される条件下で培養することを含んで成る方法。
【請求項３３】  請求項32記載の方法により生成されるポリペプチド。
【請求項３４】  図３A（配列番号３）のPCVII特異的アミノ酸配列を含んで成る単離されたポリペプチド。
【請求項３５】  図３B（配列番号５）のPCVII特異的アミノ酸配列を含んで成る単離されたポリペプチド。
【請求項３６】  図３C（配列番号７）のPCVII特異的アミノ酸配列を含んで成る単離されたポリペプチド。
【請求項３７】  図３D（配列番号９）のPCVII特異的アミノ酸配列を含んで成る単離されたポリペプチド。
【請求項３８】  図３A（配列番号３）の少なくとも25個のPCVII特異的連続アミノ酸配列を含んで成る単離されたポリペプチド。
【請求項３９】  図３B（配列番号５）の少なくとも25個のPCVII特異的連続アミノ酸配列を含んで成る単離されたポリペプチド。
【請求項４０】  図３C（配列番号７）の少なくとも25個のPCVII特異的連続アミノ酸配列を含んで成る単離されたポリペプチド。
【請求項４１】  図３D（配列番号３）の少なくとも25個のPCVII特異的連続アミノ酸配列を含んで成る単離されたポリペプチド。
【請求項４２】  図３B（配列番号５）のPCVIIアミノ酸配列と80％又はそれ以上の相同性を有するPCVIIアミノ酸配列の少なくとも25個の連続アミノ酸を含んで成る単離されたポリヌクレオチド。
【請求項４３】  前記相同性が、約85％であるか、又は85％に等しい請求項42記載のポリペプチド。
【請求項４４】  前記相同性が、約90％であるか、又は90％に等しい請求項42記載のポリペプチド。
【請求項４５】  前記相同性が、約95％であるか、又は95％に等しい請求項42記載のポリペプチド。
【請求項４６】  前記相同性が、約98％であるか、又は98％に等しい請求項42記載のポリペプチド。
【請求項４７】  請求項33〜46のいずれか１項記載のポリペプチド、医薬的ビークル、及び任意には、アジュバントを含んで成る組成物。
【請求項４８】  ムラミルジペプチド、アビジン、水酸化アルミニウム、ジメチルオクタデシルアルミニウムブロミド、油中水エマルジョン、水中油エマルジョン、サポニン及びサイトカインから選択されたアジュバントを含んで成る請求項47記載の組成物。
【請求項４９】  図２A−２C又は４A−４B、又は配列番号１，11，12又は24のPCVII単離されたヌクレオチド配列。
【請求項５０】  生物学的サンプルにおけるブタシルコウィルスII型（PCVII）相同配列を決定するための核酸ハイブリダイゼーションアッセイであって、
（ａ）前記生物学的サンプルを、PCVIIヌクレオチド配列に対して選択的にハイブリダイズすることができるポリヌクレオチドと共に、前記ポリヌクレオチドと前記生物学的サンプルに存在するPCVIIヌクレオチド配列との間での核酸複合体の形成を促進する条件下でインキュベートし、ここで前記ポリヌクレオチドは、図２A−２C、又は４A−４B、又は配列番号１，11，12又は24に示されるPCVII配列に由来するか又はそれに対して相補的である少なくとも８個の連続ヌクレオチドを含んで成り；そして
（ｂ）前記ポリヌクレオチドを含む複合体を検出することを含んで成るアッセイ。
【請求項５１】  ブタにおけるPCVII感染を検出するための診断試験キットであって、PCVIIヌクレオチド配列に対して選択的にハイブリダイズすることができるポリヌクレオチド（ここで、前記ポリヌクレオチドは、図２A−２C、又は４A−４B、又は配列番号１，11，12又は24に示されるPCVII配列に由来するか又はそれに対して相補的である少なくとも８個の連続ヌクレオチドを含んで成る）、及び免疫診断試験を行なうための説明書を含んで成る試験キット。
【請求項５２】  生物学的サンプルにおけるPCVII相同配列の検出方法であって、
（ａ）前記生物学的サンプルを、PCVIIヌクレオチド配列に対して選択的にハイブリダイズすることができるポリヌクレオチドと共に、前記ポリヌクレオチドと前記生物学的サンプルに存在するPCVIIヌクレオチド配列との間での核酸複合体の形成を促進する条件下でインキュベートし、ここで前記ポリヌクレオチドは、図２A−２C、又は４A−４B、又は配列番号１，11，12又は24に示されるPCVII配列に由来するか又はそれに対して相補的である少なくとも８個の連続ヌクレオチドを含んで成り；そして
（ｂ）前記ポリヌクレオチドを含む複合体を検出することを含んで成る方法。
【請求項５３】  前記ポリヌクレオチドがラベルされ、そして前記複合体が、前記ラベルの存在の検出により検出される請求項52記載の方法。
【請求項５４】  前記検出が、
（ａ）２種のPCVII核酸特異的プローブを使用し、ここで前記２種のプローブは、PCVII核酸の内部領域を定義し、そして個々のプローブは前記領域の3’末端を含む１つの鎖を有し、核酸/プローブのハイブリダイゼーション複合体を、プライマーエクステンション反応により、二本鎖プローブ含有フラグメントに変換し、
（ｂ）下記工程を連続的に反復することによって、プローブを含有するフラグメントの数を増幅し、（ｉ）二本鎖のフラグメントを変性して一本鎖のフラグメントを生成し、（ii）一本鎖をプローブとハイブリダイゼーションさせて鎖/プローブ複合体を形成し、（iii）DNAポリメラーゼ及びすべての４種のデオキシリボヌクレオチドの存在下で鎖/プローブ複合体から二本鎖のフラグメントを発生させ、そして（iv）所望の程度の増幅が達成されるまで、工程（ｉ）〜（iii）を反復し、そして
（ｃ）前記増幅生成物を同定することを含んで成る請求項52記載の方法。
【請求項５５】  前記ポリヌクレオチドが少なくとも10個、好ましくは12個の長さのヌクレオチドである、請求項50記載のアッセイ、請求項51記載のキット、又は請求項52〜54のいずれか１項記載の方法。
【請求項５６】  前記ポリヌクレオチドが少なくとも15個、好ましくは20個の長さのヌクレオチドである、請求項50記載のアッセイ、請求項51記載のキット、又は請求項52〜54のいずれか１項記載の方法。
【請求項５７】  前記ポリヌクレオチドが、少なくとも50個の長さのヌクレオチドである、請求項50記載のアッセイ、請求項51記載のキット、又は請求項52〜54のいずれか１項記載の方法。
【請求項５８】  前記PCVII配列が、図２A−２C、又は４A−４B、又は配列番号１，11，12又は24に示されるPCVII配列に対して少なくとも85％の同一性を有する、請求項50記載のアッセイ、請求項51記載のキット、又は請求項52〜54のいずれか１項記載の方法。
【請求項５９】  前記同一性が少なくとも90％である請求項58記載のアッセイ、キット又は方法。
【請求項６０】  前記同一性が少なくとも95％である請求項58記載のアッセイ、キット又は方法。
【請求項６１】  前記ハイブリダイゼーションが、緊縮条件下で行なわれる請求項52〜60のいずれか１項のアッセイ、キット又は方法。